(57)【要約】【課題】長期に亘って鳥類の忌避効果を発揮すると共に、磁力の低下が起こりにくく、メンテナンスの手間も少なくできる磁性鳥害防止装置を提供する。【解決手段】磁力発生手段１が太陽電池の生起した電力により磁力を励起することで、天候等に起因する日照の変化に応じて励起される磁力が変化し、長期に亘って鳥類の忌避効果を発揮できるが、磁力発生手段１にコイル状の誘電体を用いることで磁力の低下が起こりにくく、また太陽電池への受光がなされなくなれば、磁力発生手段１に電力が供給されなくなって磁力の励起が停止するから、鉄くずなどの磁石に付着する物体を自然に脱離させることができメンテナンスの手間も少なくできる。【参照図】        図２【特許請求の範囲】
【請求項１】
導電体をコイル状にして形成され、通電により磁力を励起する磁力発生手段と、太陽光の照射により電力を生起する太陽電池とを備え、前記太陽電池により生起された電力を用いて前記磁力発生手段の磁力が励起されることを特徴とする磁性鳥害防止装置。
【請求項２】
前記太陽電池及び前記磁力発生手段は、円筒状の駆体に収納され、前記駆体の外周面が前記太陽電池の受光面となされている請求項１に記載の磁性鳥害防止装置。
【請求項３】
前記太陽電池は色素増感型太陽電池である請求項２に記載の磁性鳥害防止装置。
【発明の詳細な説明】
【技術分野】
【０００１】
本発明は、鳥害が起こりうる場所に設けられ、励起された磁力により鳥類が接近を忌避するようになした磁性鳥害防止装置に関するものである。
【背景技術】
【０００２】
鳥類は、磁気を敏感に感じる能力があり、強力な磁力により周囲の磁場を乱されることで方向感覚を失うことから、磁力を発する磁石等を忌避することがよく知られている。但し、磁力が一定である場合には馴致し、忌避効果が得られにくくなる。かかる問題を解決すべく、２個のフェライトマグネット片を、その同極面同士が対峙状または当接状となる如く合体して合せ磁性体本体を形成し、該合わせ磁性体本体の両外側面が、先に対峙状または当接状とした面の極とは逆の同極面同士となるようにし、合せ磁性体本体の外周近傍の磁場が、その外周縁から所定距離離反した一において形成される磁力０値域を堺に、その両側域における磁力を励起もしくは増幅傾向に形成されてなることで、得意な磁場形成で周辺に複雑な磁気を発散することとなり、野鳥の飛行に重大な影響があるとされている地磁気に乱れを生じさせて忌避効果を発揮する鳥害防止用磁性体が開示されている（例えば特許文献１）。
【０００３】
【特許文献１】特開平１１−３４１９４２号公報
【発明の開示】
【発明が解決しようとする課題】
【０００４】
しかしながら、特許文献１の如き磁性体では、永久磁石であるフェライトマグネットを用いることから、時間の経過等周辺環境により励起される磁力の低下が起こる恐れがある。また鉄くずなど磁石に付着する物体が付着した場合に、自然に外れることがなく人為的に取り除く必要があり、メンテナンスに手間がかかるという難点があった。
【０００５】
本発明は上記の如き課題に鑑みてなされたものであり、長期に亘って鳥類の忌避効果を発揮すると共に、磁力の低下が起こりにくく、メンテナンスの手間も少なくできる磁性鳥害防止装置を提供せんとするものである。
【課題を解決するための手段】
【０００６】
上記目的を達成するため、本発明は以下のような構成としている。すなわち、本発明に係わる磁性鳥害防止装置は、導電体をコイル状にして形成され、通電により磁力を励起する磁力発生手段と、太陽光の照射により電力を生起する太陽電池とを備え、前記太陽電池により生起された電力を用いて前記磁力発生手段の磁力が励起されることを特徴とするものである。
【０００７】
また本発明において、前記太陽電池及び前記磁力発生手段は、円筒状の駆体に収納され、前記駆体の外周面が前記太陽電池の受光面となされていれば、コイル状である磁力発生手段と太陽電池とを効率よく収納することができ、更には太陽電池の受光面を最大限に拡大して発電効率を高めることに繋がり好ましい。
【０００８】
また本発明において、前記太陽電池は色素増感型太陽電池であれば、円筒状の駆体に受光面を形成するのが容易となり好ましい。
【発明の効果】
【０００９】
本発明に係わる磁性鳥害防止装置によれば、磁力発生手段が太陽電池の生起した電力により磁力を励起することで、天候等に起因する日照の変化に応じて励起される磁力が変化し、長期に亘って鳥類の忌避効果を発揮できるが、磁力発生手段にコイル状の誘電体を用いることで磁力の低下が起こりにくく、また太陽電池への受光がなされなくなれば、磁力発生手段に電力が供給されなくなって磁力の励起が停止するから、鉄くずなどの磁石に付着する物体を自然に脱離させることができメンテナンスの手間も少なくできる。
【発明を実施するための最良の形態】
【００１０】
本発明に係わる最良の実施の形態について、図面に基づき以下に具体的に説明する。
【００１１】
（第一の実施形態）
図１は、本発明に係わる磁性鳥害防止装置の、第一の実施形態を示す説明図である。磁性鳥害防止装置１０は、磁力発生手段（本図においては図示せず）を収納した円筒状の外形である駆体３の上方に、太陽電池セル２１を備え太陽光の照射により電力を生起する太陽電池２が取り付けられて形成され、下方から支柱Ｓにより支持されて設けられたものである。
【００１２】
図２は、磁力発生手段を収納した駆体３内部を示す一部破面図である。磁力発生手段１は、導電体である鋼線をコイル状に巻回して形成され、円筒状の駆体３内に収納されている。駆体３は、合成樹脂から形成されることで励起された磁力が放出されることの妨げとならないようになされている。磁力発生手段１の端部１１及び１２を太陽電池２に接続することで、太陽電池２により生起された電力が磁力発生手段１に通電されて磁力が励起される。発生される磁力は、フレミングの右手の法則に従って、端部１１に陽極を接続すれば下方に向けて磁力が発せられ、端部１２に陽極を接続すれば上方に向けて磁力が発せられる。かかる磁力が発せられる方向を、鳥類を忌避させる必要のある対象物に向けることで高い忌避効果を得ることができることから、磁力発生手段１若しくは駆体３を設置される状況に応じて適宜の方向に向けて設置するようにしてよい。
【００１３】
（第二の実施形態）
図３は、本発明に係わる磁性鳥害防止装置の、第二の実施形態を示すもので、イ）は斜視図、ロ）はイ）のＡ−Ａ断面図である。まずイ）において、磁性鳥害防止装置１０は円筒状の駆体３内に磁力発生手段及び太陽電池が収納されて、外形は駆体３のみの円筒状のものとなされている。ロ）において、駆体３内部に鋼線を巻回してコイル状となした磁力発生手段１が収納され、更に駆体３の内側には、駆体３と一体化された太陽電池２が設けられ、且つ太陽電池２の外周面、すなわち駆体３の外面が太陽電池２の受光面となされている。
【００１４】
図４は、太陽電池２及び駆体３の詳細を示す上方からの断面図である。本実施形態においては、太陽電池２が駆体３を兼ねるものとなされ、太陽電池２は内外に配置され円筒状となされた透明な合成樹脂板２２及び２３の間に、ＥＶＡからなる封止材２４にアモルファス型の太陽電池セル２１が封止されて設けられることで、外周面から太陽光が太陽電池セル２１に入射され電力が生起される。太陽電池セル２１は柔軟性に富むアモルファス型のものを用いることで、円筒状の曲面に容易に沿わせることができるようになされている。
【００１５】
図５は、図３における太陽電池２及び駆体３の変形の一例を示す断面図である。本例における太陽電池２は色素増感型太陽電池で、透明な合成樹脂板にＩＴＯ等が蒸着された透明電極基板２５及び２６が内外に配置され、外側の透明電極基板２５の内面に酸化チタン等の半導体にルテニウム錯体等の増感色素を導入して形成した色素半導体層２７が形成されている。更に色素半導体層２７と内側の透明電極基板２６との間には、ヨウ素溶液等の電解質溶液２８が充填され、太陽光が色素半導体層２７に照射されることで電力が生起されるものである。内側の透明電極基板２６と電解質溶液２８との間には、白金、カーボン等の被膜が形成されて透明電極基板２５との電位差が生じるようになされている。かかる色素増感型太陽電池を用いることで、シリコン系の太陽電池セルを用いる場合よりはるかに安価に太陽電池２を形成することができ、また小型化も容易である。更にまた種々の色調の駆体３を得ることができ、意匠性に優れたものとすることもできる。
【図面の簡単な説明】
【００１６】
【図１】本発明に係わる磁性障害防止装置の、第一の実施形態を示す説明図である。
【図２】図１に示した磁性障害防止装置の、磁力発生手段を示す一部破面図である。
【図３】本発明に係わる磁性障害防止装置の、第二の実施形態を示す説明図である。
【図４】図３に示した磁性障害防止装置の、太陽電池の詳細を示す断面図である。
【図５】図３に示した磁性障害防止装置の、太陽電池の変形の例を示す断面図である。
【符号の説明】
【００１７】
１    磁力発生手段
２    太陽電池
３    駆体
１０  磁性鳥害防止装置
【図１】
2006166762.tif 000002
【図２】
2006166762.tif 000003
【図３】
2006166762.tif 000004
【図４】
2006166762.tif 000005
【図５】
2006166762.tif 000006